(57)【要約】【課題】移動する移動側アンテナと固定側アンテナとの間での無線信号伝送において，無駄な無線信号の発生を防止すること。【解決手段】複数の移動側単位アンテナＮａ，Ｎｂ，Ｎｃからなる移動側アンテナ２２と固定側アンテナ３２との相対位置を検出する位置検出手段２７を具備し，該位置検出手段２７による検出結果に基づいて固定側アンテナ３２の無線信号の伝送動作の作動及び停止を制御するとともに，複数の移動側単位アンテナＮａ，Ｎｂ，Ｎｃのうち使用するアンテナを選択する。【選択図】図２
2004235849.tif 000002
【特許請求の範囲】
【請求項１】
移動する移動側アンテナと所定位置に配置され前記移動側アンテナとの間で所定の伝送可能範囲において無線信号の伝送が可能な固定側アンテナとの間で一方向又は双方向に無線信号の伝送を行う無線信号伝送システムにおいて，
前記移動側アンテナと前記固定側アンテナとの相対位置を検出する位置検出手段と，
前記位置検出手段による検出結果に基づいて前記固定側の無線信号の伝送動作の作動及び停止を制御する固定側アンテナ動作制御手段と，
を具備してなることを特徴とする無線信号伝送システム。
【請求項２】
移動する移動側アンテナと所定位置に配置され前記移動側アンテナとの間で所定の伝送可能範囲において無線信号の伝送が可能な固定側アンテナとの間で一方向又は双方向に無線信号の伝送を行う無線信号伝送システムにおいて，
前記移動側アンテナがそれぞれ間隔を設けて配置された複数の移動側単位アンテナからなり，
前記移動側アンテナと前記固定側アンテナとの相対位置を検出する位置検出手段と，
前記位置検出手段による検出結果に基づいて使用する前記移動側単位アンテナを選択する移動側単位アンテナ選択手段と，
を具備してなることを特徴とする無線信号伝送システム。
【請求項３】
前記位置検出手段が前記移動側アンテナとともに移動するものである請求項１又は２のいずれかに記載の無線信号伝送システム。
【発明の詳細な説明】
【０００１】
【発明の属する技術分野】
本発明は，移動する移動側アンテナと所定位置に配置された固定側アンテナとの間で一方向又は双方向に無線信号の伝送を行う無線信号伝送システムに関するものである。
【０００２】
【従来の技術】
近年，ユビキタスコンピューティング環境の整備が要求されており，各利用者が携帯して移動する端末と所定位置に配置された基地局との間における無線通信環境を整備することが必要である。
例えば，移動する列車の中にある端末（乗客の所有するモバイル機器等）からインターネット網等の外部ネットワークに接続してブロードバンド通信（双方向の信号伝送）を行ったり，所定のセンター局から各列車の中にある端末に各種デジタル情報を配信（一方向の信号伝送）したりするために用いる無線信号伝送システムの普及が要求されている。このような無線信号伝送システムでは，列車（移動体）に搭載されて列車とともに移動するアンテナ（以下，移動側アンテナという）と該移動側アンテナの移動経路方向に沿って（即ち，線路の方向に沿って）複数配置されるアンテナ（以下，固定側アンテナという）との間で，一方向又は双方向の無線信号の伝送が行われる。
このように，移動側アンテナと固定側アンテナとの間で無線信号の伝送を行う場合，固定側アンテナから無線信号の伝送が可能な所定の範囲（以下，伝送可能範囲という）内に定期的に無線信号（電波）が放射され，その伝送可能範囲内に移動してきた移動側アンテナがその無線信号を受信してデジタルコンテンツの配信サービスを受けたり，受信信号に対して応答を返すことによりインターネット接続等の双方向通信を行ったりすることが通常である。
【０００３】
従来，例えば非特許文献１には，列車にはアンテナを備えた移動側の無線ＬＡＮ装置（以下，移動側無線ＬＡＮ装置という）を設け，鉄道（列車の移動経路）の沿線には所定間隔で配置されアンテナを備えた無線ＬＡＮ装置（以下，固定側無線ＬＡＮ装置という）を複数配置し，前記移動側無線ＬＡＮ装置といずれかの前記固定側無線ＬＡＮ装置との間で無線通信（無線信号の伝送）を行うシステムが示されている。この固定側無線ＬＡＮ装置相互間においては，ＡＤＳＬを用いて通信接続を行なうよう構成されるとともに，このＡＤＳＬは駅で中継されてインターネット等の外部ネットワークに接続される。そして，前記固定側無線ＬＡＮ装置は，通信状態に関する情報を相互にやり取りすることにより，通信状態が最適である前記固定側無線ＬＡＮ装置が前記移動側無線ＬＡＮ装置と通信を行なうよう構成されている。これにより，列車が移動しても前記固定側無線ＬＡＮ装置の切り替え（ハンドオフ）時に瞬間的にリンク（通信接続）が切れるものの，基本的には継続して無線通信（双方向の無線信号伝送）が行なえることが開示されている。
【０００４】
ここで，列車が走行中（移動中）に継続して信号伝送を行うために，前記固定側無線ＬＡＮ装置のアンテナ（前記固定側アンテナの一例）は，それぞれの通信可能な領域を隣り合うアンテナ間でオーバラップして配置され，非特許文献１によれば，この設置間隔は５００ｍとしている。通常，無線ＬＡＮの通信規格であるＩＥＥＥ８０２．１１ｂに準拠した無線ＬＡＮ装置は，ごく短距離の通信を想定したＴＤＤ方式の装置であり，使用するアンテナゲインと送信パワーにもよるが通信距離はせいぜい周囲３００ｍ程度の範囲内に限定される。従って，適切なハンドオフを行える条件，即ち，前記移動側無線ＬＡＮ装置が前記固定側無線ＬＡＮ装置の１つと通信中に，そのリンクが切れないうちに次の前記固定側無線ＬＡＮ装置との通信が可能となる範囲に入るような前記固定側無線ＬＡＮ装置（前記固定側アンテナ）の配置条件として，設置間隔を５００ｍとすることは妥当なものと考えられる。この場合，例えば，駅間の移動経路長が５０ｋｍであるとすると，前記固定側アンテナは約１００個配置する必要がある。
【０００５】
【非特許文献１】
高速移動体へのＩＰネットワーク実現に向けて  平１４年鉄道技術連合シンポジウムＪ−ＲＡＩＬ２００２  Ｓ５−１−１
【０００６】
【発明が解決しようとする課題】
しかしながら，列車ダイヤは，安全運行上，駅間に存在する列車の数がごくわずか（例えば，数台）となるように組まれるのが通常である。従って，多くの前記固定側アンテナ（列車の例の場合，例えば全体の数の９０％以上）は，無線信号の伝送相手がいない状態で電波を発するすることになり無駄であるという問題点があった。さらに，このように常時（定期的に）電波を放射することは，近隣で行われる他の無線通信に悪影響を与えるという問題点もあった。
従って，本発明は上記事情に鑑みてなされたものであり，その目的とするところは，移動する移動側アンテナと所定位置に配置された固定側アンテナとの間で一方向又は双方向に無線信号の伝送を行う無線信号伝送システムにおいて，無駄な無線信号の発生を防止することが可能な無線信号伝送システムを提供することにある。
【０００７】
【課題を解決するための手段】
上記目的を達成するために本発明は，移動する移動側アンテナと所定位置に配置され前記移動側アンテナとの間で所定の伝送可能範囲において無線信号の伝送が可能な固定側アンテナとの間で一方向又は双方向に無線信号の伝送を行う無線信号伝送システムにおいて，前記移動側アンテナと前記固定側アンテナとの相対位置を検出する位置検出手段と，前記位置検出手段による検出結果に基づいて前記固定側の無線信号の伝送動作の作動及び停止を制御する固定側アンテナ動作制御手段と，を具備してなることを特徴とする無線信号伝送システムとして構成されるものである。
これにより，通信に不要な前記固定側アンテナ，例えば，前記伝送可能範囲内又はその近傍等に前記移動側アンテナが存在しない前記固定側アンテナ等による信号伝送（電波放射）を停止することが可能となり，無駄な電波放射を防止することができる。
【０００８】
一方，前記移動側アンテナが複数のアンテナから構成される場合には，該移動側アンテナについても同様の構成が考えられる。即ち，移動する移動側アンテナと所定位置に配置され前記移動側アンテナとの間で所定の伝送可能範囲において無線信号の伝送が可能な固定側アンテナとの間で一方向又は双方向に無線信号の伝送を行う無線信号伝送システムにおいて，前記移動側アンテナがそれぞれ間隔を設けて配置された複数の移動側単位アンテナからなり，前記移動側アンテナと前記固定側アンテナとの相対位置を検出する位置検出手段と，前記位置検出手段による検出結果に基づいて使用する前記移動側単位アンテナを選択する移動側単位アンテナ選択手段と，を具備してなることを特徴とする無線信号伝送システムとして構成されるものである。
これにより，通信に不要な前記移動側単位アンテナ，例えば，前記固定側アンテナとの前記伝送可能範囲内又はその近傍等にない前記移動側単位アンテナによる信号伝送（電波放射）を停止することが可能となり，無駄な電波放射を防止することができる。さらに，前記固定側アンテナに最も近い前記移動側単位アンテナを選択すること等が可能となり，信号伝送品質の高い良好な状態を維持できるという効果も奏する。
前記位置検出手段としては，前記移動側アンテナとともに移動するものが考えられる。これにより，ＧＰＳや前記移動側アンテナが搭載される移動体（列車等）が通常備える移動（走行）距離検出手段や移動速度検出手段（速度計）を利用した位置検出が可能となる。もちろん，発信器等を前記移動体側アンテナ又はそれを移動させる移動体に設けてその移動を固定側から追跡する等の構成であってもかまわない。
【０００９】
【発明の実施の形態】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る無線信号伝送システムＸの概略構成を表す平面図，図２は本発明の実施の形態に係る無線信号伝送システムＸにおける列車内の通信システムの構成及びアンテナの配置関係を表す概略図，図３は本発明の実施例に係る無線信号伝送システムＸにおいて使用する車上単位アンテナが切り替わる様子を模式的に表した図，図４は本発明の実施の形態に係る無線信号伝送システムＸにより地上ノードの選択を行う場合と地上ノードの選択を行わない場合とにおける伝送信号の流れを模式的に表した図である。
【００１０】
まず，図１及び図２（ａ）を用いて，本発明の実施の形態に係る無線信号伝送システムＸの概略構成について説明する。
無線信号伝送システムＸは，図１に示すように，線路１上を移動する列車２に取り付けられることにより線路１に沿った所定の移動経路１ａ上を移動する無線通信装置である車上ノード２０と，該車上ノード２０の前記移動経路１ａ方向に沿って複数配置される無線通信装置である地上ノード３０と，該地上ノード３０相互間における有線又は無線の信号伝送手段である中継リンク４０と，該中継リンク４０と外部ネットワークであるインターネットとの間の信号伝送を中継するセンタ装置５０とを具備している。
前記中継リンク４０は，例えば，１００ＢａｓｅＦＸ規格の長距離伝送向けの光ファイバによるネットワークやその他無線通信手段等を用いることができる。
前記地上ノード３０は，前記中継リンク４０の終端機器であるスイッチングＨＵＢ３３と，無線アンテナ３２（ロッドアンテナ）を備え前記車上ノード２０との無線ＬＡＮ通信（図中，無線アクセスリンクと表す）を行うための無線ＬＡＮアクセスポイント３１とを具備している。該無線ＬＡＮアクセスポイント３１が備える無線アンテナを以下，地上アンテナ３２（前記固定側アンテナの一例）という。前記スイッチングＨＵＢ３３は，前記中継リンク４０を流れる通信パケット（伝送信号）を分岐して前記無線ＬＡＮアクセスポイント３１に伝送し，前記無線ＬＡＮアクセスポイント３１から伝送されてくる通信パケットを前記中継リンク４０に伝送する。
前記センタ装置５０は，駅等に設置され，前記中継リンク４０とインターネットとの接続を中継するものである。さらに，列車の運行状況や各種サービスに関するデジタルコンテンツを前記端末２４に向けて配信する機能も有する。
【００１１】
前記車上ノード２０は，図２（ａ）に示すように，前記移動経路１ａ方向に間隔を空けて配置された複数の車上単位アンテナＮａ，Ｎｂ，Ｎｃ（前記移動側単位アンテナの一例）と，該車上単位アンテナＮａ，Ｎｂ，Ｎｃそれぞれと接続されたアンテナ切替えスイッチ２５と，該アンテナ切替えスイッチ２５にアンテナの切替え（選択）信号を出力するアンテナ切替え信号発生器２６と，前記単位車上アンテナＮａ，Ｎｂ，Ｎｃと前記地上アンテナ３２との相対位置を検出して前記アンテナ切替え信号発生器２６に対して出力する列車位置検出装置２７と，前記アンテナ切替えスイッチ２５により選択（切替え）された前記車上単位アンテナＮａ，Ｎｂ，Ｎｃのいずれかに接続される無線ＬＡＮ通信装置である車上無線ＬＡＮ装置２１とを具備している。ここで，前記車上単位アンテナＮａ，Ｎｂ，Ｎｃを総称して車上アンテナ２２（前記移動側アンテナの一例）ということとする。ここで，前記アンテナ切替えスイッチ２５及び前記アンテナ切替え信号発生器２６とが，前記移動側単位アンテナ選択手段の一例を構成する。
前記車上無線ＬＡＮ装置２１は，スイッチングＨＵＢ２３に接続され，該スイッチングＨＵＢ２３には，当該列車２の乗客が使用する複数の端末２４が接続される。この接続は，図２（ａ）では，１０Ｂａｓｅ−Ｔで接続するよう図示しているが，これに限るものでなく，他の有線又は無線により通信接続するよう構成してもかまわない。
【００１２】
前記地上ノード３０における前記地上アンテナ３２と前記車上単位アンテナＮａ，Ｎｂ，Ｎｃそれぞれとは，相互に所定の通信可能範囲ｗ（前記伝送可能範囲の一例）内に存在する場合に無線信号の伝送が可能である。
このような構成により，前記端末２４それぞれが，前記スイッチングＨＵＢ２３，前記車上無線ＬＡＮ装置２１，前記アンテナ切替えスイッチ２５，前記車上単位アンテナＮａ，Ｎｂ，Ｎｃのいずれか，前記地上アンテナ３２，前記無線ＬＡＮアクセスポイント３１，前記スイッチングＨＵＢ３３，前記中継リンク４０及び前記センタ装置５０を介してインターネットに接続する（即ち，信号伝送する）ことが可能となる。
ここで，前記車上アンテナ２２が，複数の前記車上単位アンテナＮａ，Ｎｂ，Ｎｃからなるため，図２（ａ）又は図２（ｂ）に示すように，一つの前記地上アンテナ３２の前記通信可能範囲ｗ内に複数の前記車上単位アンテナが存在することが発生しうる。この場合，同一の伝送信号を複数の前記車上単位アンテナで受信することになり，前記アンテナ切替えスイッチ２５による前記車上単位アンテナＮａ，Ｎｂ，Ｎｃの選択を行わずに各アンテナによる伝送信号を単に合成又は分岐する場合には，いわゆるマルチパスフェージングが発生し得る。しかし，前記車上ノード２０では，後述するように前記地上ノード３０との無線通信（即ち，前記地上アンテナ３２との無線通信）に適した前記車上単位アンテナを選択して使用するためそのような問題が発生せず，正常に通信を行うことが可能である。
【００１３】
次に，図２（ａ），（ｂ）を用いて，各アンテナの配置関係について説明する。
まず，前記地上アンテナ３２それぞれ（図２（ａ）では，ＮＧ２で表すものを指す）は，図２（ａ）に示すように，隣りの他の前記地上アンテナ３２との間で前記伝送可能範囲ｗが重ならず，かつ前記車上アンテナ２２の移動方向１ｂにおける最上流側（列車の最後尾側）の前記車上単位アンテナＮａが前記移動方向１ｂ上流側隣りの前記地上アンテナ３２（図２（ａ）では，ＮＧ１で表すものを指す）に対して前記通信可能範囲の最も前記移動方向１ｂ下流側の位置Ｐ１にあるときに，前記移動方向１ｂにおける最下流側の前記車上単位アンテナＮｃ（列車の最先頭側）に対して前記通信可能範囲ｗ内となる間隔で配置される。
即ち，前記地上アンテナ３２それぞれが，隣り合う前記地上アンテナ３２との間で前記通信可能範囲ｗが重ならず，かつ隣り合う前記地上アンテナ３２における前記通信可能範囲ｗ相互の前記移動方向１ｂにおける間隔ｗｘが，前記移動方向１ｂ最上流側及び最下流側の前記車上単位アンテナＮａ，Ｎｃの間隔ｗａｃ以下となるよう配置される。
【００１４】
また，前記車上単位アンテナＮａ，Ｎｂ，Ｎｃそれぞれは，図２（ｂ）に示すように，前記移動方向１ｂ下流側の隣りの他の前記車上単位アンテナ（ここでは，Ｎａに対するＮｂ又はＮｂに対するＮｃのことを指す）が前記地上アンテナ３２それぞれに対して前記通信可能範囲ｗの最も前記移動方向１ｂ下流側の位置Ｐ３にあるときに，該地上アンテナ３２に対して前記伝送可能範囲ｗ内となる間隔で配置される。
即ち，前記車上単位アンテナＮａ，Ｎｂ，Ｎｃそれぞれが，前記地上アンテナ３２それぞれの前記移動方向１ｂにおける前記通信可能範囲ｗの長さ以下の間隔ｗ０で配置される。
このようなアンテナの配置構成により，前記車上単位アンテナＮａ，Ｎｂ，Ｎｃのいずれかが，常に前記地上アンテナ３２のいずれかとの間で前記通信可能範囲ｗ内に存在することになる。これにより，列車２が移動しても，前記地上ノード３０側のハンドオフを適切に行えば，前記端末２４は継続的にインターネット接続することが可能となる。
また，隣り合う前記地上アンテナ３２における前記通信可能範囲ｗ相互の前記移動方向１ｂにおける間隔ｗｘを，ほぼ列車２全体の長さ（前記移動方向１ｂ最上流側及び最下流側の前記車上単位アンテナＮａ，Ｎｃの間隔に近い長さ）近くまで長くとることができるので，前記地上アンテナ３２の配置数を少なくすることができる。
【００１５】
例えば，前記移動方向１ｂにおける前記通信可能範囲ｗを５００ｍ（前記移動方向１ｂ上流側・下流側にそれぞれ２５０ｍ），列車２の全長を４００ｍ（＝２５ｍ／１車両×１６車両）とすると，前記地上アンテナ３２は，約９００ｍ間隔で設置すればよいことになる。これは，非特許文献１に示される設置間隔５００ｍの１．８倍にもなり，従来よりも大幅に設置間隔を長くとることができる。これを，１０００ｋｍの線路１の沿線に配置したとすると，従来は約２０００個の前記地上アンテナ３２が必要であるのに対し，本無線信号伝送システムＸでは，約１１１１個の前記地上アンテナ３２を配置するだけで済む。このことは，省資源化（省コスト化）につながるだけでなく，伝送信号を前記無線ＬＡＮアクセスポイント３１でバッファリングする場合には，バッファリングの回数が減ることで，信号伝送の遅延時間が大幅に短縮され，通信品質への影響を小さくできるという効果も奏する。これらの効果は，列車２の全長が長いほど顕著となる。
ここで，図２には，３個の前記車上単位アンテナＮａ，Ｎｂ，Ｎｃを設けた例を示したが，これに限るものでなく，２個或いは４個以上設けるものも考えられる。例えば，上述したように前記移動方向１ｂにおける前記通信可能範囲ｗが上流側・下流側にそれぞれ２５０ｍ，列車２の全長が４００ｍである場合（即ち，列車２の全長が前記移動方向１ｂにおける前記通信可能範囲ｗの長さ以下である場合）には，列車の最後尾部と最先頭部に前記車上単位アンテナＮａ，Ｎｃを２個設ければ，該車上単位アンテナＮａ，Ｎｃのいずれかが，常に前記地上アンテナ３２のいずれかとの間で前記通信可能範囲ｗ内に存在することになる。また，相対的に列車２の全長が長く，前記通信可能範囲ｗが狭い場合には，前記車上単位アンテナの数を増やせばよい。
【００１６】
次に，前記列車位置検出装置２７により検出された列車２の位置情報に基づいて，複数の前記車上単位アンテナＮａ，Ｎｂ，Ｎｃから使用するものを選択する手段及び方法について説明する。
ここで，前記列車位置検出装置２７としては様々なものが考えられる。例えばＧＰＳにより列車２の位置を検出し，その検出結果と予め登録された前記地上アンテナ３２それぞれの位置との相対位置関係を求めるよう構成されたものや，駅からの走行距離（走行速度の積分値等）を検出し，予め登録された前記地上アンテナ３２それぞれの駅からの距離との差分（相対位置の一例）を求めるよう構成されたものが考えられる。また，前記車上単位アンテナＮａ，Ｎｂ，Ｎｃそれぞれの受信信号レベル（強度）を検出し，そのレベルの比較によって前記車上単位アンテナそれぞれと前記地上アンテナ３２との相対位置（距離）を推定する（前記受信信号レベルが高い前記車上単位アンテナほど前記地上ノード３０に近いとする）よう構成されたものや，既存の列車運行システムにより検出された列車の位置情報を前記列車運行システムが有する通信機能を用いて受信し，これと予め登録された前記地上アンテナ３２の位置との相対位置関係を求めるもの等も考えられる。前記列車運行システムの有する通信機能は，データの伝送容量が小さいため，前記端末２４によるインターネット接続に用いることはできないが，前記位置情報程度の小容量のデータ伝送に用いることは可能である。
【００１７】
前記アンテナ切替え信号発生器２６は，前記列車位置検出装置２７による検出結果（以下，相対位置情報という）に基づいて通信に最適な前記車上単位アンテナが選択されるよう前記アンテナ切替えスイッチ２５に対して切替え信号を出力する。通常は，前記相対位置情報に基づいて，前記地上アンテナ３２との相対距離が最も近い前記車上単位アンテナが選択されるよう前記切替え信号を出力する。また，前記相対距離が同等又は同等に近い前記車上単位アンテナが複数存在する場合には，例えば，列車２の移動方向の下流側（進行方向側）の前記車上単位アンテナが選択されるよう前記切替え信号を出力する。
図３は，使用する（選択される）前記車上単位アンテナが切り替わる様子を模式的に表した図である。図３において，横方向は列車２の移動方向１ｂ（進行方向）を表し，縦方向は時間経過を表す。また，破線で囲まれた前記車上単位アンテナＮａ，Ｎｂ，Ｎｃが，前記アンテナ切替え信号発生器２６及び前記アンテナ切替えスイッチ２５によって選択されているアンテナを示す。
図３に示すように，列車２の移動，即ち，前記車上アンテナ２２の移動に応じて（前記相対位置情報に基づいて），前記地上アンテナ３２との距離が最も近い前記車上単位アンテナが選択されるため，マルチパスフェージングが発生せず，常時良好な通信状態を維持できる。また，信号送信の際に伝送信号が複数の前記車上単位アンテナＮａ，Ｎｂ，Ｎｃに分岐されないため，無駄な電波放射を防止でき，伝送信号の出力電力も小さくて済む。
【００１８】
ところで，前記地上ノード３０と前記車上ノード２０との無線通信に，ＩＥＥＥ８０２．１１に準拠したの一般的な無線ＬＡＮを採用した場合，前記地上ノード３０それぞれは，通信相手となる前記車上ノード２０が前記通信範囲ｗ内に存在するか否かにかかわらず，定期的に制御用の無線信号（電波）を放射する。一方，列車ダイヤは，安全運行上，駅間に存在する列車２の数がごくわずかとなるように組まれるのが通常である。従って，多くの前記地上ノード３０は，通信相手がいない状態で電波を発することになり無駄であるばかりでなく，このように常時（定期的に）電波を放射することは，近隣で行われる他の無線通信に悪影響を与えることにもなる。
このような事態の発生を防止するため，本無線信号伝送システムＸでは，前記地上アンテナ３２と前記車上アンテナ２２との相対位置情報に基づいて，前記車上アンテナ２２との無線通信に使用する前記地上ノード３０（即ち，使用する前記地上アンテナ３２）が選択され，不要な前記地上アンテナ３０の動作が停止（無線信号の伝送が停止）されるよう構成されている。以下，これについて説明する。
【００１９】
本無線信号伝送システムＸは，前記列車位置検出装置２７により検出された前記地上アンテナ３２と前記車上アンテナ２２との相対位置情報が，前記センタ装置５０に随時伝送されるよう構成されている。この相対位置情報の伝送方法としては，前記地上ノード３０と前記車上ノード２０との間で行われる無線通信の伝送信号に前記相対位置情報を付加して伝送することや，既存の列車運行システムにおけるデータ伝送機能を用いて伝送すること等，各種方法が考えられる。もちろん，既存の列車運行システム等の他の位置検出手段から前記相対位置情報が前記センタ装置５０に伝送されるよう構成してもよい。
前記センタ装置５０は，前記相対位置情報に基づいて，前記地上ノード３０それぞれについて，その前記通信可能範囲ｗ内に前記車上アンテナ２２（即ち，列車２）が存在するか否かを判断する。そして，前記通信可能範囲ｗ内に前記車上アンテナ２２が存在する前記地上ノード３０と，その前記移動方向１ｂ下流側に続けて配置される所定数（１又は複数）の前記地上ノード３０とを無線通信に使用する前記地上ノード３０として選択する（前記センタ装置５０が前記固定側アンテナ選択手段の一例）。以下，ここで選択された前記地上ノード３０を選択地上ノード，それ以外の前記地上ノード３０を非選択地上ノードという。さらに，前記センタ装置５０は，前記中継リンク４０を通じて，前記選択地上ノード３０に対して所定の作動ＯＮ信号を，前記非選択地上ノード３０に対して所定の作動ＯＦＦ信号を送信する。
一方，前記作動ＯＮ信号を受信した前記地上ノード３０の前記無線ＬＡＮアクセスポイント３１は，前記車上ノード２０との無線通信を作動状態（列車２の有無に関わらす定期的に電波を放射する状態）とし，前記作動ＯＦＦ信号を受信した前記地上ノード３０は，前記車上ノード２０との無線通信を停止状態（列車２の有無に関わらす電波を放射しない状態）とする。ここで，前記センタ装置５０及び前記無線ＬＡＮアクセスポイント３１が，前記固定側アンテナ動作制御手段の一例を構成する。
これにより，必要最小限の前記地上ノード３０のみが作動状態（電波を放射する状態）となり，無駄な電波放射及びそれによる近隣無線通信への悪影響を防止できる。
【００２０】
また，本無線信号伝送システムＸは，前記センタ装置５０から前記地上ノード３０に対して信号伝送を行う際，全ての前記地上ノード３０に対してブロードキャスト的に送信するのではなく，前記選択地上ノード３０に対してのみ選択的に信号伝送を行うよう構成されている。
これにより，前記中継リンク４０における信号伝送のトラフィックを最小限にすることが可能となる。
図４は，無線信号伝送システムにおける伝送信号の流れを太線矢印により模式的に表したものである。ここで，図４（ａ）は，本実施例に係る前記地上ノード３０の選択を行わず（全て作動），前記センタ装置５０から全ての前記地上ノード３０に対して伝送信号をブロードキャスト的に送信する場合における伝送信号の流れを示し，図４（ｂ）は，本実施例に係る前記地上ノード３０の選択を行う場合における伝送信号の流れを示す。
図４（ａ），（ｂ）を比較してわかるように，前記地上ノード３０の選択を行うことにより，前記地上ノード３０（前記地上アンテナ３２）による前記車上ノード２０との間における無線リソースの無駄な消費（無駄な無線放射）と，前記中継リンク４０における通信リソースの無駄な消費（無駄なトラフィックの発生）とを無くすことができる。なお，図４（ｂ）の点線矢印で示すように，前記地上ノード３０それぞれが，より近い前記センタ装置５０（駅等）との間でデータ伝送（中継）を行うよう構成すれば，前記中継リンク４０における無駄なトラフィックの発生をより抑えることができる。
本実施の形態では，インターネット接続のための双方向の信号伝送（通信）について説明したが，これに限るものでなく，例えば，駅から所定のデジタルコンテンツを配信（放送）する場合のように一方向の信号伝送に本発明を適用することも可能である。
【００２１】
【発明の効果】
以上説明したように，本発明によれば，移動側アンテナと固定側アンテナとの間で無線信号の伝送を行う場合に，移動側アンテナと固定側アンテナとの相対位置に基づいて使用するアンテナを選択することにより，無駄な無線信号（電波）の放射や無駄なトラフィックの発生を防止すること，及びマルチパスフェージングの影響等による通信品質の悪化を防止することが可能となる。
【図面の簡単な説明】
【図１】本発明の実施の形態に係る無線信号伝送システムＸの概略構成を表す平面図。
【図２】本発明の実施の形態に係る無線信号伝送システムＸにおける列車内の通信システムの構成及びアンテナの配置関係を表す概略図。
【図３】本発明の実施の形態に係る無線信号伝送システムＸにおいて使用する車上単位アンテナが切り替わる様子を模式的に表した図。
【図４】本発明の実施の形態に係る無線信号伝送システムＸにより地上ノードの選択を行う場合と地上ノードの選択を行わない場合とにおける伝送信号の流れを模式的に表した図。
【符号の説明】
１…線路
１ａ…車上アンテナの移動経路
１ｂ…車上アンテナの移動方向
２…列車
２０…車上ノード
２１…車上無線ＬＡＮ装置
２２…車上アンテナ
２３…スイッチングＨＵＢ
２４…端末
２５…アンテナ切替えスイッチ
２６…切替え信号発生器
２７…列車位置検出装置（位置検出手段）
３０…地上ノード
３１…無線ＬＡＮアクセスポイント
３２…地上アンテナ（固定側アンテナ）
３３…スイッチングＨＵＢ
４０…中継リンク
５０…センタ装置
Ｎａ，Ｎｂ，Ｎｃ…車上単位アンテナ（移動側単位アンテナ）
ｗ…通信可能範囲
ｗｘ…通信可能範囲の間隔
【図１】
2004235849.tif 000003
【図２】
2004235849.tif 000004
【図３】
2004235849.tif 000005
【図４】
2004235849.tif 000006